(57)【要約】【課題】メダルを使用する遊技機において、メダルで擦られた場合でも擦り減ることが無いとともに、ＬＥＤによる演出が可能なメダル投入部を提供する。【解決手段】メダルを使用する遊技機に用いられる遊技機のメダル投入部であって、メダルを移動させるためのガイド溝３と、ガイド溝３に沿って移動してきたメダルを衝突させるためのストッパ壁４と、ガイド溝３とストッパ壁４間に形成した、ストッパ壁４に衝突させたメダルを遊技機内に投入するためのメダル投入口５とを具備した本体部２と、ガイド溝３におけるメダルが摺動可能な部分、及びストッパ壁４におけるメダルが接触可能な部分に配置した摩耗防止部とを具備し、本体部２は透光性の樹脂により構成し、摩耗防止部は、金属により構成するとともに、ガイド溝３及びストッパ壁４に配置した突条部（６、７）あるいはガイド溝３及びストッパ壁４を覆ったカバー（１２）とした。【選択図】図１
2016168295.tif 000002
【特許請求の範囲】
【請求項１】
メダルを使用する遊技機に用いられる遊技機のメダル投入部であって、
メダルを移動させるためのガイド溝（３）と、
該ガイド溝（３）に沿って移動してきたメダルを衝突させるためのストッパ壁（４）と、
前記ガイド溝（３）とストッパ壁（４）間に形成した、ストッパ壁（４）に衝突させたメダルを遊技機内に投入するためのメダル投入口（５）と、を具備した本体部（２、２ｂ）と、
前記ガイド溝（３）におけるメダルが摺動可能な部分、及び前記ストッパ壁（４）におけるメダルが接触可能な部分に配置した摩耗防止部、を具備し、
前記本体部（２）は透光性の樹脂により構成し、
前記摩耗防止部は金属により構成した、ことを特徴とする遊技機のメダル投入部。
【請求項２】
前記摩耗防止部は、前記ガイド溝（３）及びストッパ壁（４）に配置した突条部（６、７）であることを特徴とする請求項１に記載の遊技機のメダル投入部。
【請求項３】
前記摩耗防止部は、少なくとも前記ガイド溝（３）及びストッパ壁（４）を覆ったカバー（１２）であることを特徴とする請求項１に記載の遊技機のメダル投入部。
【請求項４】
前記カバー状の磨耗防止部（１２）の一部に透光部（１４、１７）を形成したことを特徴とする請求項３に記載の遊技機のメダル投入部。
【発明の詳細な説明】
【技術分野】
【０００１】
本発明は、メダルを使用する遊技機に用いられるメダル投入部に係り、より詳しくは、ＬＥＤ等による演出効果を容易に可能とした遊技機のメダル投入部に関する。
【背景技術】
【０００２】
一般的に、スロットマシーン等のメダルを使用する遊戯機では、メダル投入部を備えており、このメダル投入部を介して遊技機内にメダルを投入することとしている。
【０００３】
ここで従来のメダル投入部の構成について図８を参照して説明すると、図８は従来のメダル投入部を示す図であり、図において３１が従来のメダル投入部である。そして、従来のメダル投入部３１は、全体を亜鉛ダイキャストで製造しており、メダルの径状に応じた半円弧状のガイド溝３２を有しており、このガイド溝３２の最奥側に形成したストッパ壁３３が立設され、ガイド溝３２とストッパ壁３３間には、メダルを投入するためのスリット状のメダル投入口３４が形成されている。
【０００４】
そして、このように構成されるメダル投入部３１によって遊技機内にメダルを投入する場合には、ガイド溝３２に沿ってメダルをストッパ壁３３側に移動させ、メダルがストッパ壁３３に至った後に、ストッパ壁３３にメダルの面を当接させた状態で、メダルを離す。そうすると、メダルはメダル投入口３４から遊技機内に落下して、これによりメダルの投入が行われて、遊戯が可能な状態になる。
【先行技術文献】
【特許文献】
【０００５】
【特許文献１】特開２００５−２１４４３号公報
【特許文献２】特開２００５−３３４５３５号公報
【特許文献３】特開２００６−６８１７０号公報
【特許文献４】特開２００７−１０５４９８号公報
【特許文献５】特開２００８−１７３２７６号公報
【特許文献６】特開２００８−１７３２７７号公報
【発明の概要】
【発明が解決しようとする課題】
【０００６】
ところで、近年になり、メダルを使用した遊技機でも、ＬＥＤを内部に備えて、このＬＥＤによる演出を行うことが一般的に行われている。即ち、筐体のフロントパネル等を透光性素材で構成して、遊技機内部に配置したＬＥＤの発光によって、遊技機を各種の色で演出することが行われている。そして、最近になり、メダル投入部に関しても、ＬＥＤによる演出を可能にすべく、透光性の樹脂等による構成が検討されている。
【０００７】
しかしながら、前述したように、メダルを遊技機に投入する場合には、ガイド溝に沿ってメダルをストッパ壁側に移動させるため、メダル投入部を樹脂で構成した場合には、特にガイド溝の部分がメダルによって擦られることで擦り減ってしまうという問題点が指摘されている。
【０００８】
また、メダルをメダル投入口から落下させる場合には、メダルのエッヂ部分をストッパ壁に当てた後に、直立させて、それによって、ストッパ壁にメダルの面を当接させることが一般的であるが、メダルのエッヂ部分をストッパ壁に当てることで、ストッパ壁がメダルによって擦られて擦り減ってしまうという問題点も指摘されている。
【０００９】
そこで、本発明は、メダルを使用する遊技機において、メダルで擦られた場合でも擦り減ることが無いとともに、ＬＥＤによる演出が可能なメダル投入部を提供することを課題としている。
【課題を解決するための手段】
【００１０】
本発明の遊技機のメダル投入部は、
メダルを使用する遊技機に用いられる遊技機のメダル投入部であって、
メダルを移動させるためのガイド溝と、
該ガイド溝に沿って移動してきたメダルを衝突させるためのストッパ壁と、
前記ガイド溝とストッパ壁間に形成した、ストッパ壁に衝突させたメダルを遊技機内に投入するためのメダル投入口と、を具備した本体部と、
前記ガイド溝におけるメダルが摺動可能な部分、及び前記ストッパ壁におけるメダルが接触可能な部分に配置した摩耗防止部と、を具備し、
前記本体部は透光性の樹脂により構成し、
前記摩耗防止部は金属製にした、ことを特徴としている。
【発明の効果】
【００１１】
本発明の遊技機のメダル投入部では、メダルを移動させるためのガイド溝と、このガイド溝に沿って移動してきたメダルを衝突させるためのストッパ壁と、ガイド溝とストッパ壁間に形成したメダル投入口を具備した本体部を透光性の樹脂により構成するとともに、ガイド溝におけるメダルが摺動可能な部分とストッパ壁におけるメダルが接触可能な部分に金属製の摩耗防止部を配置している。
【００１２】
そのために、本体部がＬＥＤの光を透過するためにＬＥＤによる演出を可能にするとともに、ガイド溝やストッパ壁におけるメダルが摺動する部分がメダルによる摩擦で擦り減ってしまうことを有効に防止することが可能である。
【図面の簡単な説明】
【００１３】
【図１】本発明の遊技機のメダル投入部の実施例の斜視図である。
【図２】本発明の遊技機のメダル投入部の実施例における本体部を説明するための図である。
【図３】本発明の遊技機のメダル投入部の実施例における摩耗防止部を説明するための図である。
【図４】本発明の遊技機のメダル投入部の第２実施例の斜視図である。
【図５】本発明の遊技機のメダル投入部の第２実施例における本体部を説明するための図である。
【図６】本発明の遊技機のメダル投入部の第２実施例における摩耗防止部を説明するための図である。
【図７】本発明の遊技機のメダル投入部の第２実施例における他の構成の摩耗防止部を説明するための図である。
【図８】従来の遊技機のメダル投入部を説明するための図である。
【発明を実施するための形態】
【００１４】
本発明の遊技機のメダル投入部では、透光性の樹脂により構成した本体部を有しており、この本体部は、メダルを移動させるためのガイド溝と、このガイド溝に沿って移動してきたメダルを衝突させるためのストッパ壁と、ストッパ壁に衝突させたメダルを遊技機内に投入するためのメダル投入口を有しており、メダル投入口は、メダル投入ガイド溝とストッパ壁間に形成されている。
【００１５】
そして、ガイド溝におけるメダルが摺動可能な部分と、ストッパ壁におけるメダルが接触可能な部分には、金属製の摩耗防止部が配置されている。
【００１６】
ここで、ガイド溝及びストッパ壁に金属製の突条部を配置し、この突条部を摩耗防止部にするとよく、これにより、ＬＥＤの演出効果を維持しつつ、ガイド溝とストッパ壁がメダルとの摩擦により擦り減ってしまうことを有効に防止することが可能である。
【００１７】
またその他、ガイド溝の一部又は全部、及びストッパ壁の一部又は全部を金属製のカバーで覆い、この金属製カバーを摩耗防止部にしてもよく、このとき、カバーの一部に透光部を形成するとよく、これによっても、ＬＥＤの演出効果を維持しつつ、ガイド溝とストッパ壁がメダルとの摩擦により擦り減ってしまうことを有効に防止することが可能である。
【実施例１】
【００１８】
本発明の遊技機のメダル投入部（以下単に「メダル投入部」と称する。）の実施例について図面を参照して説明すると、図１は本実施例のメダル投入部の斜視図であり、図において１が本実施例のメダル投入部である。そして、本実施例によるメダル投入部１は、パチスロに使用されるメダル投入部としており、透光性の樹脂により形成された本体部と、金属製の摩耗防止部とを具備し、本体部と磨耗防止部は、インサート成形で一体に形成されている。
【００１９】
ここで、前記本体部について説明すると、図２は前記本体部を示した図であり、図において２が本体部である。そして、本実施例において前K本体部２は、前述したように透光製の樹脂により構成されている。
【００２０】
また、前記本体部２は、ガイド溝を有しており、このガイド溝に沿ってメダルを移動させることとしている。即ち、図において３がガイド溝であり、本実施例において前記ガイド溝３は、上面側に開口するとともに前後方向に延びており、メダルの径状に応じた円弧状としている。
【００２１】
そして、このガイド溝３の後端部側には、略垂直に起立した状態で、ストッパ壁４が設けられており、このストッパ壁４は、前記ガイド溝３に沿って最奥まで移動させたメダルを衝突させるために用いられる。
【００２２】
また、前記ガイド溝３の後端部とストッパ壁４間には、スリット状のメダル投入口５が形成されており、このメダル投入口５を介して、ストッパ壁４に衝突させたメダル、遊技機内に投入することとしている。即ち、前記ガイド溝３に沿ってメダルをストッパ壁４側に移動させ、メダルがストッパ壁４に至った後に、ストッパ壁４にメダルの面を当接させた状態で、メダルを離すことで、メダルはメダル投入口５から遊技機内に落下させ、メダルの投入を行うことを可能としている。
【００２３】
そして、前述したように、本実施例において前記本体部２は、透光性の樹脂により構成しているために、ＬＥＤによる光によってメダル投入部１を演出することができ、装飾機能を高めることが可能である。
【００２４】
次に、前記磨耗防止部について説明すると、図１において６及び７が磨耗防止部である。即ち、本実施例のメダル投入部１においては、前記ガイド溝３及びストッパ壁４に磨耗防止部６、７を備えており、これにより、本体部２におけるガイド溝３及びストッパ壁４が、メダルにより擦られて磨り減ってしまうことを防止することとしている。
【００２５】
ここで、前記磨耗防止部６、７について説明すると、図３は前記摩耗防止部６、７を説明するための図であり、前記ガイド溝３に備えた磨耗防止部６は、第１の磨耗防止部であり、ステンレス製の長尺の直方体状としており、前記ガイド溝３の長手方向に沿って、ガイド溝３上に配置している。より具体的には、インサート成形によって、下側部分がガイド溝３内に埋没する形態で、ガイド溝３の面に配置することで、ステンレス製の突状部を形成し、この突状部を第１の磨耗防止部６としている。そのために、前記本体部２におけるガイド溝３には、前記第１の磨耗防止部７の下側が埋没するためのスリット状の取り付け溝８が形成されている。
【００２６】
また、前記第１の磨耗防止部６の配置に際しては、複数本を、間隔を置いて配置しており、具体的には本実施例では３本の摩耗防止部６を用いており、その配置に際しては、第１の磨耗防止部６間の間隔がメダルの厚みよりも狭くなるようにしている。
【００２７】
そのため、これにより、メダルをガイド溝３に沿って最奥部まで移動する場合のみならず、メダルの面をストッパ壁と直交する向きにしてガイド溝３上を移動させた場合でも、本体部２におけるガイド溝３がメダルで擦られることが無く、従って、ＬＥＤによる演出効果を維持しつつ、メダルとの摩擦で本体部２のガイド溝３が磨り減ってしまうことを防止することができる。なお、前記第１の摩耗防止部６の本数は特に限定されず、必ずしも３本に限定されるものではなく、４本以上又は３本未満にしても良い。従って例えば、１０本程度にしてもよく、また、１〜２本程度にしてもよい。
【００２８】
次に、前記ストッパ壁４に備えた磨耗防止部７は、第２の磨耗防止部であり、前記第１の磨耗防止部６と同様に、ステンレス製の長尺の直方体状として、前記ストッパ壁４の上下方向に沿って、ストッパ壁４上に配置している。より具体的には、インサート成形によって、背後側の部分がストッパ壁４内に埋没するとともに正面側がストッパ壁４からわずかに突出する形態で、ストッパ壁４に配置しており、これによりステンレス製の突状部を形成し、この突状部を第２の磨耗防止部７としている。そのために、前記ストッパ壁４には、前記第２の磨耗防止部８の背後側が埋没するためのスリット状の取り付け溝８が形成されている。
【００２９】
また、前記第２の磨耗防止部７の配置に際しては、複数本を、間隔を置いて配置しており、具体的には本実施例では３本の摩耗防止部７を用いており、その配置に際しては、第２の磨耗防止部７間の間隔がメダルの厚みよりも狭くなるようにしている。
【００３０】
そのため、これにより、メダルをストッパ壁４に衝突させた場合のみならず、メダルの面をストッパ壁４と直交する向きにしてストッパ壁４上で移動させた場合でも、本体部２がメダルで擦られることが無く、従って、ＬＥＤによる演出効果を維持しつつ、メダルとの摩擦で本体部２のストッパ壁４が磨り減ってしまうことを防止することができる。なお、前記第２の摩耗防止部７の本数もまた、３本に限定されるものではなく、４本以上又は３本未満にしても良い。従って、例えば、１０本程度にしてもよく、また、１〜２本程度にしてもよい。
【００３１】
次に、このように構成される本実施例のメダル投入部１の作用について説明すると、本実施例のメダル投入部１を遊技機に取り付ける場合には、前記本体部２の内側にＬＥＤ基板を配置する。そうすると、本実施例においては前記本体部２を透光性の樹脂により構成しているために、ＬＥＤを発光させることで、メダル投入部１を任意の色に光らせることができ、ＬＥＤによる演出を行うことが可能となる。
【００３２】
また、本実施例のメダル投入部１では、ガイド溝３には第１の磨耗防止部６を配置し、ストッパ壁４には第２の磨耗防止部７を配置しているために、メダルによってガイド溝３の部分又はストッパ壁４の部分を擦られた場合でも、メダルとの摩擦によってガイド溝３及びストッパ壁４が磨り減ってしまうことを防止することが可能である。
【００３３】
このように、本実施例のメダル投入部１によれば、ＬＥＤによる演出を可能にするとともに、ガイド溝やストッパ壁におけるメダルが摺動する部分がメダルによる摩擦で擦り減ってしまうことを有効に防止することが可能である。
【００３４】
なお、本実施例のメダル投入部１は、パチスロに使用されるメダル投入部としているが、本発明のメダル投入部はパチスロ用のメダル投入部には限定されず、パチスロのほか、メダルを使用する遊技機におけるメダル投入部の全般に使用可能である。
【実施例２】
【００３５】
本発明のメダル投入部の第２実施例について図面を参照して説明すると、図４は本実施例のメダル投入部１１を示す斜視図であり、本実施例のメダル投入部１１は、磨耗防止部を金属製のカバー材とし、透光性樹脂製の本体部を金属製のカバー材で覆って構成していることを特徴としている。
【００３６】
即ち、図において２ｂが本体部であり、また図５は前記本体部２ｂを示す斜視図であり、本実施例において前記本体部２ｂは、前述の実施例における本体部２と同様に、前述したように透光製の樹脂により構成されている。そして、上面側に開口するとともに前後方向に延びた、メダルの径状に応じた円弧状としたガイド溝３を有し、このガイド溝に沿ってメダルを移動させることとしている。
【００３７】
また、このガイド溝３の後端部側には、略垂直に起立した状態で、ストッパ壁４が設けられ、このストッパ壁４は、前記ガイド溝３に沿って最奥まで移動させたメダルを衝突させるために用いられる。
【００３８】
更に、前記ガイド溝３の後端部とストッパ壁４間には、スリット状のメダル投入口５が形成されており、このメダル投入口５を介して、ストッパ壁５に衝突させたメダル、遊技機内に投入することとしている。即ち、前記ガイド溝３に沿ってメダルをストッパ壁４側に移動させ、メダルがストッパ壁４に至った後に、ストッパ壁４にメダルの面を当接させた状態で、メダルを離すことで、メダルはメダル投入口５から遊技機内に落下させ、メダルの投入を行うことを可能としている。
【００３９】
次に、図４において１２が磨耗防止部であり、また図６は前記摩耗防止部１２を示す斜視図であり、本実施例における前記磨耗防止部１２は、少なくとも、前記本体部２ｂにおけるガイド溝３の部分及びストッパ壁４の面部分を覆う形態としており、全体をステンレス製としている。そして、本実施例においては、インサート成形によって、前記本体部２ｂと磨耗防止部１２を一体に形成している。
【００４０】
即ち、図において１３がガイド溝部であり、このガイド溝部１３は、前記本体部２ｂにおけるガイド溝３の全体を覆うことができる形態としており、前記ガイド溝３の形状に対応して、上面側に開口するとともに前後方向に延びた円弧状としている。
【００４１】
また、前記ガイド溝部１３には、間隔を置いて、前後方向に延びたスリット状の透光部１４が複数本、本実施例においては３本形成されており、これにより、メダル投入部１１の内部に配置したＬＥＤの光を認識可能としている。なお、前記透光部１４の個数は特に限定されるものではない。従って、スリット状の透光部を４個以上形成してもよく、あるいは３個未満としてもよい。また、透光部の形状も必ずしもスリット状にする必要はなく、長孔状、丸孔状、星状、あるいは溝状等、メダル投入部１１の内部に配置したＬＥＤの光を認識可能であれば、いずれでも良い。
【００４２】
次に、図において１５は、ストッパ壁部である。即ち、前記磨耗防止部１２において、前記ガイド溝部１３の後端部側には、略垂直に起立した状態でストッパ壁部１５が設けられ、このストッパ壁部１５は、前記本体部２ｂにおけるストッパ壁４を覆うために用いられており、このストッパ壁部１５と前記ガイド溝部１３間には、スリット状のメダル投入口部１６が形成され、このメダル投入口部１６は、前記本体部２のメダル投入口５に連通している。
【００４３】
また、前記ストッパ壁部１５には、間隔を置いて、上下方向に延びたスリット状の透光部１７が複数本、本実施例においては３本形成されており、これにより、メダル投入部の内部に配置したＬＥＤの光を認識可能としている。但し、前記透光部１４の個数は特に限定されるものではなく、スリット状の透光部を４個以上形成してもよく、あるいは３個未満としてもよい。また、透光部の形状も必ずしもスリット状にする必要はなく、長孔状、丸孔状、星状、あるいは溝状等、メダル投入部１１の内部に配置したＬＥＤの光を認識可能であれば、いずれでも良い。
【００４４】
次に、このように構成される本実施例のメダル投入部１の作用について説明すると、本実施例のメダル投入部１１では、金属製のカバー材としての磨耗防止部１２を有しており、この磨耗防止部１２によって本体部２ｂを覆って構成されているために、メダルによって擦られた場合でも磨り減ることが無い。
【００４５】
また、本実施例のメダル投入部１１では、前記本体部２ｂを透光性の樹脂により構成しているとともに、本体部２ｂを覆う磨耗防止部１２には透光部１４、１７が形成されているために、本体部２ｂの内側にＬＥＤ基板を配置した場合には、ＬＥＤの光を本体部２ｂ及び透光部１４、１７を介して認識することができるので、ＬＥＤの光によって各種の演出を行うことが可能である。
【００４６】
このように、本実施例のメダル投入部１１によっても、ＬＥＤによる演出を可能にするとともに、ガイド溝やストッパ壁におけるメダルが摺動する部分がメダルによる摩擦で擦り減ってしまうことを有効に防止することが可能である。
【００４７】
なお、図６に示した摩耗防止部１２では、ガイド溝３の部分を覆うガイド溝部１３とストッパ壁４の部分を覆うストッパ壁部１５を一体に構成したが、必ずしも、ガイド溝部１３とストッパ壁部１５を一体に構成する必要はない。即ち、図７に示すように、ガイド溝３の部分を覆うガイド溝部１３ｂと、ストッパ壁４の面部分を覆うストッパ壁部１５ｂを別構成とし、これにより摩耗防止部１２を構成してもよい。
【００４８】
また、図７に示すように、本体部２ｂにおけるガイド溝３に、ガイド溝部１３ｂにおける透光部１４に嵌合する突条部１８を形成してもよい。
【００４９】
更に、図７に示すストッパ壁部１５ｂでは透光部１７を形成していないが、図７に示すようにガイド溝３の部分を覆うガイド溝部１３ｂとストッパ壁４の面部分を覆うストッパ壁部１５ｂを別構成とした場合においても、ストッパ壁部１５ｂに透光部１７を形成してもよい。
【００５０】
なお、本実施例によるメダル投入部１１も前述の実施例の場合と同様に、パチスロのほか、メダルを使用する遊技機におけるメダル投入部の全般に使用可能である。
【産業上の利用可能性】
【００５１】
本発明のメダル投入部は、メダルとの摩擦による磨耗を防止しつつ、ＬＥＤによる演出を可能にしているために、ＬＥＤによる演出効果が期待されるメダル投入部の全般に適用可能である。
【符号の説明】
【００５２】
１、１１    メダル投入部
２、２ｂ    本体部
３    ガイド溝
４    ストッパ壁
５    メダル投入口
６    第１の磨耗防止部
７    第２の磨耗防止部
８    取り付け溝
１２    磨耗防止部
１３、１３ｂ    ガイド溝部
１４    透光窓
１５、１５ｂ    ストッパ壁部
１６    メダル投入口部
１７    透光窓
１８    突条部
【図１】
2016168295.tif 000003
【図２】
2016168295.tif 000004
【図３】
2016168295.tif 000005
【図４】
2016168295.tif 000006
【図５】
2016168295.tif 000007
【図６】
2016168295.tif 000008
【図７】
2016168295.tif 000009
【図８】
2016168295.tif 000010